(57)【特許請求の範囲】
【請求項１】
袋体の前側面を形成する帯状の表面フィルムと後側面を形成する帯状の裏面フィルムとの間に、袋体の横マチ部を形成する横マチ成形材を一対配する横マチ形成工程と、角底部を形成する底フィルムを底部に配する底部形成工程と、表面フィルム及び裏面フィルムを切断して底ガゼット袋を形成する切断工程とを有する合成樹脂製の底ガゼット袋の製造方法であって、
角底部の奥行きに沿って配置され仕上がり幅を分割する合成樹脂製の中仕切り片を高さ調整自在に形成する中仕切り片形成工程と、
該中仕切り片を長手方向に沿って二つ折りした状態で裏面フィルムに１枚又は複数枚仮止めする仮止め工程と、
中仕切り片の底部がわ端部の屈曲部分を内側に折り込んで中仕切り片の底部接着面を形成する接着面形成工程と、
中仕切り片の底部接着面に前記角底部を形成する底フィルム４を挟み込む挟着工程と、
表面フィルムと裏面フィルムと底フィルムとに中仕切り片を接着する中仕切り接着工程と、を備え、
前記接着面形成工程は、前記中仕切り片の二つ折りされている底部がわ端部を押え板で押さえながら一対の吸引具にて吸引して開く端部拡開工程と、開いた端部の屈曲縁に差込み板を差し込んで開いた端部を内側に折り込む端部折込工程と、を備えたことを特徴とする中仕切り付き底ガゼット袋の製造方法。
【請求項２】
前記表面フィルムと前記裏面フィルムとに底ガゼット袋の開口部分を補強する補強フィルムを配する補強工程と、該補強フィルムと前記表裏面フィルムとを貫通する手穴を開穿する手穴開穿工程とを備えた請求項１記載の中仕切り付き底ガゼット袋の製造方法。
【請求項３】
前記後側面の上端部より上方に延長されるヘッダー部を形成するヘッダーフィルムと、ヘッダー部から延長されるフラップを形成するフラップフィルムとが一体に形成された裏面フィルムを前記表面フィルムに平行に重合する重合工程と、
裏面フィルムに折り返したヘッダーフィルムを接合してヘッダー部を形成するヘッダー形成工程と、
粘着面でフラップと前側面とを着脱自在に接合せしめる粘着テープを、該粘着面に剥離シートが付着された状態で、前記表面フィルムの前面とフラップフィルムの後面とのいずれか一方に予め接着する粘着テープ接着工程とを備えた請求項１記載の中仕切り付き底ガゼット袋の製造方法。
【請求項４】
一対の合成樹脂製の手提げ片を形成し、該手提げ片の両端部を同一方向に向けて前記表面フィルムと裏面フィルムとの間に介する手提げ形成工程と、該一対の手提げ片を表面フィルムと裏面フィルムとに同時に接合する手提げ接合工程とを備えた請求項１記載の中仕切り付き底ガゼット袋の製造方法。
【発明の詳細な説明】
【技術分野】
【０００１】
本発明は、合成樹脂材にて形成される中仕切り付き底ガゼット袋を自動成形することができる中仕切り付き底ガゼット袋の製造方法に関する。
【背景技術】
【０００２】
一般に、ガゼット袋とはマチ付き袋を意味するもので、横ガゼット袋と底ガゼット袋の二種類がある。横ガゼット袋として多く使用されているのは、スーパーなどのレジ袋である。一方、底ガゼット袋はブティックや小売店で底部にマチのある形状の袋として使用されることが多い。
【０００３】
横ガゼット袋からなるレジ袋に中仕切りを設けた提案が特許文献１に記載されている。このレジ袋によると、収納部の四隅に、上下方向に柱状に延びる芯部を設けたもので、この芯部を設けることにより、収納部を開いた状態で自立させようとしている。更に、自立する収納部に間仕切を配して区画を設け、この間仕切を切断可能とすることにより、区画の大きさが可変となるように構成したものである。
【０００４】
一方、多層紙、プラスチックラミネート紙等の適宜紙素材より成る底ガゼット袋の内部を区画する中仕切りシートを備えた仕切り付き袋が特許文献２に記載されている。この仕切り付き袋によると、中仕切りシートの下部及び両側部が袋本体に接着されているので、袋の強度が高まり、収納された物品が混じり合うのを防ぐことができるというものである。
【先行技術文献】
【特許文献】
【０００５】
【特許文献１】特開２００６‐１３１２５０号公報
【特許文献２】実用新案登録第３１３４７３１号公報
【発明の概要】
【発明が解決しようとする課題】
【０００６】
特許文献１記載のレジ袋によると、収納部が自立するように四隅に芯部を設け、その上で収納部に間仕切を設けるものである。そのため、レジ袋の構成が極めて特殊な構成になっており、安価な提供は困難であった。しかも、収納部に芯部を設け、さらに間仕切を設けるには、袋の製造手段が複雑になることから、従来の製袋機による自動製造はできないのが現状である。
【０００７】
一方、特許文献２に記載の仕切り付き袋では、適宜紙素材より成る中仕切りシートを紙素材の底ガゼット袋に接着するため、内部に仕切りを接着することは比較的容易に行える。ところが、合成樹脂材にて形成される底ガゼット袋の内部に仕切りを接着する場合、従来の製袋方法で接着することは極めて困難であるため、これまで提供されていなかった。
【０００８】
そこで本発明は、上述の課題を解消すべく創出されたもので、合成樹脂材にて形成される中仕切り付き底ガゼット袋を自動成形することができる中仕切り付き底ガゼット袋の製造方法の提供を目的とするものである。
【課題を解決するための手段】
【０００９】
上述の目的を達成すべく本発明における第１の手段は、袋体の前側面１１を形成する帯状の表面フィルム１と後側面１２を形成する帯状の裏面フィルム２との間に、袋体の横マチ部１３を形成する横マチ成形材３を一対配する横マチ形成工程１００と、角底部１４を形成する底フィルム４を底部に配する底部形成工程２００と、表面フィルム１及び裏面フィルム２を切断して底ガゼット袋１０を形成する切断工程３００とを有する合成樹脂製の底ガゼット袋の製造方法であって、
角底部１４の奥行きに沿って配置され仕上がり幅を分割する合成樹脂製の中仕切り片５を高さ調整自在に形成する中仕切り片形成工程０１０と、
該中仕切り片５を長手方向に沿って二つ折りした状態で裏面フィルム２に仮止めする仮止め工程０１１と、
中仕切り片５の底部がわ端部の屈曲部分を内側に折り込んで中仕切り片５の底部接着面を形成する接着面形成工程０２０と、
中仕切り片５の底部接着面に前記角底部１４を形成する底フィルム４を挟み込む挟着工程０６０と、
表面フィルム１と裏面フィルム２と底フィルム４とに中仕切り片５を１枚又は複数枚接着する中仕切り接着工程０７０と、を備え、
前記接着面形成工程０２０は、前記中仕切り片５の二つ折りされている底部がわ端部を押え板２１で押さえながら一対の吸引具２２にて吸引して開く端部拡開工程０２１と、開いた端部の屈曲縁に差込み板２３を差し込んで開いた端部を内側に折り込む端部折込工程０２２と、を備えたことにある。
【００１２】
第２の手段は、前記表面フィルム１と前記裏面フィルム２とに底ガゼット袋１０の開口部分を補強する補強フィルム６を配する補強工程０３０と、該補強フィルム６と前記表裏面フィルム１，２とを貫通する手穴１５を開穿する手穴開穿工程０３１とを備えたことにある。
【００１３】
第３の手段は、前記後側面１２の上端部より上方に延長されるヘッダー部１２Ａを形成するヘッダーフィルム２Ａと、ヘッダー部１２Ａから延長されるフラップ１６を形成するフラップフィルム２Ｂとが一体に形成された裏面フィルム２を前記表面フィルム１に平行に重合する重合工程０４０と、
裏面フィルム２に折り返したヘッダーフィルム２Ａを接合してヘッダー部１２Ａを形成するヘッダー形成工程０４１と、
粘着面でフラップ１６と前側面１１とを着脱自在に接合せしめる粘着テープ１７を、該粘着面に剥離シート１７Ａが付着された状態で、前記表面フィルム１の前面とフラップフィルム２Ｂの後面とのいずれか一方に予め接着する粘着テープ接着工程０３２とを備えたものである。
【００１４】
第４の手段は、一対の合成樹脂製の手提げ片７を形成し、該手提げ片７の両端部を同一方向に向けて前記表面フィルム１と裏面フィルム２との間に介する手提げ形成工程０５０と、該一対の手提げ片７を表面フィルム１と裏面フィルム２とに同時に接合する手提げ接合工程０５１とを備えたものである。
【発明の効果】
【００１５】
請求項１に記載のごとく、該中仕切り片５を長手方向に沿って二つ折りした状態で裏面フィルム２に仮止めする仮止め工程０１１と、中仕切り片５の底部がわ端部の屈曲部分を内側に折り込んで中仕切り片５の底部接着面を形成する接着面形成工程０２０と、中仕切り片５の底部接着面に前記角底部１４を形成する底フィルム４を挟み込む挟着工程０６０と、を備え、表面フィルム１と裏面フィルム２と底フィルム４とに中仕切り片５を接着する中仕切り接着工程０７０を備えたことにより、合成樹脂材にて形成される中仕切り付き底ガゼット袋を自動成形することができる。
【００１６】
また、前記中仕切り片形成工程０１０において、前記中仕切り片５は高さ調整自在に形成されているので、任意の高さの中仕切り片５を形成することができる。しかも、前記仮止め工程０１１において、前記中仕切り片５は前記裏面フィルム２に１枚又は複数枚仮止めすることで、底ガゼット袋１０の内部に適数枚の中仕切り片５を形成することができる。この結果、底ガゼット袋１０の用途に応じた各種の中仕切り片５を形成することが可能である。
【００１７】
更に、前記接着面形成工程０２０は、前記中仕切り片５の二つ折りされている底部がわ端部を吸引して開く端部拡開工程０２１と、開いた端部の屈曲縁を内側に折り込む端部折込工程０１２と、を備えたことで、底ガゼット袋１０の内部に中仕切り片５を自動で装着することが可能になった。
【００１８】
請求項２のように、前記表面フィルム１と前記裏面フィルム２とに底ガゼット袋１０の開口部分を補強する補強フィルム６を配する補強工程０３０と、該補強フィルム６と前記表裏面フィルム１，２とを貫通する手穴１５を開穿する手穴開穿工程０３１とを備えたことで、手穴付きの底ガゼット袋１０を自動成形することができる。
【００１９】
請求項３のごとく、粘着面でフラップ１６と前側面１１とを着脱自在に接合せしめる粘着テープ１７を、該粘着面に剥離シート１７Ａが付着された状態で、前記表面フィルム１の前面とフラップフィルム２Ｂの後面とのいずれか一方に予め接着する粘着テープ接着工程０３２とを備えたことで、フラップ１６付きの底ガゼット袋１０を自動成形することができる。
【００２０】
請求項４のように、手提げ形成工程０５０において、前記表面フィルム１と裏面フィルム２とが直接重合する面の間に手提げ片７を介することで、手提げ片７付きの底ガゼット袋１０を自動成形することができるものである。
【図面の簡単な説明】
【００２１】
【図１】本発明底ガゼット袋製造方法の一実施例を示す概略図である。
【図２】本発明の中仕切り片を形成する工程の一実施例を示す概略図である。
【図３】本発明底ガゼット袋の一実施例を示す斜視図である。
【図４】本発明底ガゼット袋製造方法の他の実施例を示す概略図である。
【図５】本発明底ガゼット袋の他の実施例を示す斜視図である。
【図６】本発明底ガゼット袋製造方法の他の実施例を示す概略図である。
【図７】本発明底ガゼット袋の他の実施例を示す斜視図である。
【図８】本発明底ガゼット袋製造方法の他の実施例を示す概略図である。
【図９】本発明底ガゼット袋の他の実施例を示す斜視図である。
【図１０】本発明底ガゼット袋の他の実施例を示す斜視図である。
【図１１】本発明底ガゼット袋の他の実施例を示す斜視図である。
【図１２】本発明底ガゼット袋の他の実施例を示す斜視図である。
【発明を実施するための形態】
【００２２】
本発明によると、合成樹脂材にて形成される中仕切り付き底ガゼット袋を自動成形することに成功したものである。
【００２３】
本発明底ガゼット袋１０を形成する合成樹脂材は、例えば、ポリプロピレンフィルムにナイロンフィルムがラミネートされたフィルム材や、LDPEフィルム、HDPEフィルム、PETフィルム、アルミ蒸着フィルムなど任意の合成樹脂材を使用することが可能である。
【００２４】
本発明底ガゼット袋１０の基本的な製造方法は、横マチ形成工程１００、底部形成工程２００、切断工程３００にて製造するものである（図１参照）。
【００２５】
横マチ形成工程１００は、帯状フィルムを扁平なチューブ状に折たたんで横マチ成形材３を設けておき、帯状の表面フィルム１と、帯状の裏面フィルム２との間に横マチ成形材３を一対配する工程である。この横マチ成形材３は底ガゼット袋１０の横マチ部１３を形成するもので、表面フィルム１は前側面１１を形成し、裏面フィルム２は後側面１２を形成する。底部形成工程２００は、底フィルム４を前側面１と裏面フィルム２との底部に配する工程であり、この底フィルム４は底ガゼット袋１０の角底部１４を形成するものである。切断工程３００は、表面フィルム１及び裏面フィルム２を切断して底ガゼット袋１０を形成する工程である。
【００２６】
このような製造工程に、中仕切り片５を底ガゼット袋１０の内部に接合する工程として、中仕切り片形成工程０１０、仮止め工程０１１、接着面形成工程０２０、挟着工程０６０、中仕切り接着工程０７０等の工程が追加される（図２参照）。
【００２７】
中仕切り片形成工程０１０は、所定のフィルムを切断して長手方向に沿って二つ折りした状態の中仕切り片５を形成する工程である（図１参照）。この中仕切り片５は、底ガゼット袋１０を設けたときに、角底部１４の奥行きに沿って配置され、角底部１４の仕上がり幅を分割するように設けるものである。
【００２８】
一方、仮止め工程０１１は、中仕切り片５を裏面フィルム２に仮止めする工程である（図２参照）。この仮止め工程０１１で裏面フィルム２に仮止めする中仕切り片５の高さ（角底部１４からの高さ）は任意に設定することができる。すなわち、角底部１４から底ガゼット袋１０の開口部に至る高さの中仕切り片５から、それより低い中仕切り片５まで任意の高さに設定することができる（図５、図７参照）。また、中仕切り片５の数は、１枚でも複数枚でもよく、任意の数の中仕切り片５を仮止めすることができる。
【００２９】
接着面形成工程０２０は、中仕切り片５の底部がわ端部の屈曲部分を内側に折り込んで中仕切り片５の底部接着面を形成する（図２参照）。この際、端部拡開工程０２１と端部折込工程０２２とを備えることで、より確実に中仕切り片５を接合することが可能になる。すなわち、端部拡開工程０２１は、中仕切り片５の二つ折りされている底部がわ端部を、押え板２１で押さえながら、一対の吸引具２２にて吸引して開く工程である。更に、端部折込工程０２２は、開いた端部の屈曲縁に差込み板２３を差し込んで開いた端部を内側に折り込む工程である。
【００３０】
次に、挟着工程０６０により、中仕切り片５の底部接着面に底フィルム４を挟み込み（図２参照）、最後に、中仕切り接着工程０７０にて横マチ圧着板３２を使用し、表面フィルム１と裏面フィルム２と底フィルム４とに中仕切り片５を接着する（図１参照）。
【００３１】
このように、底ガゼット袋１０の基本的な製造工程と、中仕切り片５の接合工程とを組み合せることにより、中仕切り片付きの底ガゼット袋１０を自動成形することができるものである。
【００３２】
図１、図４は、手穴１５を設けた底ガゼット袋１０を製造する工程を示している。この工程では、表面フィルム１と裏面フィルム２とに底ガゼット袋１０の開口部分を補強する補強フィルム６を配する補強工程０３０を備えている。そして、手穴開穿工程０３１によって、抜き刃３５を使用して補強フィルム６と表裏面フィルム１，２とを貫通する手穴１５を開穿するものである。図１の製造工程では、１枚の中仕切り片５を設けた底ガゼット袋１０が形成される（図３参照）。また、図４の製造工程では、２枚の中仕切り片５を設けた底ガゼット袋１０が形成される（図５参照）。
【００３３】
図６は、開口部にフラップ１６を備えた底ガゼット袋１０を製造する工程を示している。すなわち、この工程では、重合工程０４０とヘッダー形成工程０４１と接合部材接着工程０３２とが追加される。
【００３４】
重合工程０４０は、上部にヘッダーフィルム２Ａとフラップフィルム２Ｂとが一体に形成された裏面フィルム２を、表面フィルム１に平行に重合する工程である（図６参照）。このヘッダーフィルム２Ａは、後側面１２の上端部より上方に延長されるヘッダー部１２Ａを形成するもので、フラップフィルム２Ｂは、ヘッダー部１２Ａから延長されるフラップ１６を形成するものである（図７参照）。
【００３５】
更に、ヘッダー形成工程０４１は、裏面フィルム２に折り返したヘッダーフィルム２Ａを接合してヘッダー部１２Ａを形成する工程である（図６参照）。一方、接合部材接着工程０３２は、剥離シート１７Ａが付着された粘着テープ１７を、表面フィルム１の前面とフラップフィルム２Ｂの後面とのいずれか一方に予め接着する工程である。この粘着テープ１７は、粘フラップ１６と前側面１１とを着脱自在に粘着せしめる部材である。
【００３６】
図８は、開口部に手提げ片７を備えた底ガゼット袋１０を製造する工程を示している。すなわち、この工程では、手提げ形成工程０５０と手提げ接合工程０５１とが追加される。
【００３７】
手提げ形成工程０５０は、一対の合成樹脂製の手提げ片７を形成し、該手提げ片７の両端部を同一方向に向けて前記表面フィルム１と裏面フィルム２との間に介する工程である（図８参照）。更に、手提げ接合工程０５１により、一対の手提げ片７を表面フィルム１と裏面フィルム２とにそれぞれ接合する。この工程により、図９に示す底ガゼット袋１０が形成されるものである。また、中仕切り片５の長さを変えることで、底ガゼット袋１０の開口部に至る中仕切り片５を設けることができる（図１０参照）。
【００３８】
図１１、図１２は、本発明により成形可能な他の底ガゼット袋１０を示している。すなわち、図１１は、フラップ１６に手穴１５を形成した底ガゼット袋１０であり、図１１のフラップ１６を底ガゼット袋１０の前側面１１に折り重ねた状態を示している。
【００３９】
このように、本発明にて形成される底ガゼット袋１０は、図示例の形状に限定されものではなく、任意に変更することができる。また、本発明製造方法で使用する装置においても図示に限定されるものではない。更に、底ガゼット袋１０の用途やサイズ、あるいは材質などは、本発明の要旨を変更しない範囲で自由な設計変更が可能である。
【符号の説明】
【００４０】
１  表面フィルム
２  裏面フィルム
３  横マチ成形材
４  底フィルム
５  中仕切り片
６  補強フィルム
７  手提げ片
８  支持孔
１０  底ガゼット袋
１１  前側面
１２  後側面
１２Ａ  ヘッダー部
１３  横マチ部
１４  角底部
１５  手穴
１６  フラップ
１７  粘着テープ
１７Ａ  剥離シート
２０  仮止め具
２１  押え板
２２  吸引具
２３  差込み板
３０  補強圧着板
３１  仕切り圧着板
３２  横マチ圧着板
３３  切断具
３４  穿孔具
３５  抜き刃
０１０  中仕切り片形成工程
０１１  仮止め工程
０２０  接着面形成工程
０２１  端部拡開工程
０２２  端部折込工程
０３０  補強工程
０３１  手穴開穿工程
０４０  重合工程
０４１  ヘッダー形成工程
０４２  粘着テープ接着工程
０５０  手提げ形成工程
０５１  手提げ接合工程
０６０  挟着工程
０７０  中仕切り接着工程
１００  横マチ形成工程
２００  底部形成工程
３００  切断工程
【要約】      （修正有）【課題】合成樹脂材にて形成される中仕切り付き底ガゼット袋を自動成形することができる中仕切り付き底ガゼット袋の製造方法を提供する。【解決手段】角底部の奥行きに沿って配置され仕上がり幅を分割する合成樹脂製の中仕切り片５を形成する。該中仕切り片５を長手方向に沿って二つ折りした状態で裏面フィルム２に仮止めする。中仕切り片５の底部がわ端部の屈曲部分を内側に折り込んで中仕切り片５の底部接着面を形成する。中仕切り片５の底部接着面に前記角底部を形成する底フィルム４を挟み込む。表面フィルム１と裏面フィルム２と底フィルム４とに中仕切り片５を接着する。【選択図】図１【図１】
0005519049.tif 000002
【図２】
0005519049.tif 000003
【図３】
0005519049.tif 000004
【図４】
0005519049.tif 000005
【図５】
0005519049.tif 000006
【図６】
0005519049.tif 000007
【図７】
0005519049.tif 000008
【図８】
0005519049.tif 000009
【図９】
0005519049.tif 000010
【図１０】
0005519049.tif 000011
【図１１】
0005519049.tif 000012
【図１２】
0005519049.tif 000013